(57)【要約】  単一または複数の平行刃を有する安全かみそり用の洗浄装置（１）が開示される。中空コネクタ（５）は、洗面台の給水蛇口に取り付けられ、水がそこを通って、コネクタ（５）から下に延びる本体（２）内に流れ、本体（２）内に保持されたブラシ（１５）を回転させ、本体（２）内のスロット（１４）を通って流出することを可能にする。かみそりの毛剃りヘッドは、ヘッド内の刃がブラシ（１５）の毛の中に埋もれるように、スロット（１４）内に位置決めされる。ブラシ（１５）が回転する際に、ブラシの毛が、刃と隣接する周囲との間から剃毛屑を除去する。使用後に、装置（１）を簡単に分解することができ、装置（１）の全ての構成部品の洗浄を容易にする。【選択図】図１
2014533527.tif 000002
【特許請求の範囲】
【請求項１】
少なくとも１つの刃がヘッド内に収納されるタイプの剃毛かみそりを洗浄する装置において、
中空本体であって、給水栓に取り付けられるようになされた第１の端部と、中空室内で終端する第２の端部とを有し、前記本体および前記室は、水が前記第１の端部から前記本体を通って流れ前記室から流出することを可能にするようになされる、中空本体と；
前記室内に取り付けられたブラシまたはその類似物であって、前記水が前記本体を通って流れ前記室から流出する際に回転するようになされる、ブラシまたはその類似物と；
前記少なくとも１つの刃を通過させることができ、かつ前記ブラシを回転させる際に前記ブラシと接触させて配置することができる室内のスロットと、
を含むことを特徴とする装置。
【請求項２】
請求項１に記載の装置において、前記第１の端部が、前記水栓に対する迅速着脱カップリングを含むことを特徴とする装置。
【請求項３】
請求項２に記載の装置において、前記カップリングが、弾性の押し嵌め接続部であることを特徴とする装置。
【請求項４】
請求項１に記載の装置において、前記第１の端部は、前記水栓に取り付けるためにねじが設けられることを特徴とする装置。
【請求項５】
請求項４に記載の装置において、前記本体が弾性材料から製造されることを特徴とする装置。
【請求項６】
請求項１乃至５の何れか１項に記載の装置において、前記ブラシが、実質的に細長い円筒形状であることを特徴とする装置。
【請求項７】
請求項１乃至５の何れか１項に記載の装置において、前記ブラシが、１つまたは複数の行または列で配設された毛を有することを特徴とする装置。
【請求項８】
請求項７に記載の装置において、前記ブラシは、各行が実質的に前記ブラシの幅にわたって延在する複数行の毛を含むことを特徴とする装置。
【請求項９】
請求項１乃至８の何れか１項に記載の装置において、前記本体および前記室が、前記装置の使用後に前記ブラシから剃毛屑を取り除くための前記ブラシへのアクセスを容易にするように、着脱可能に接続されることを特徴とする装置。
【請求項１０】
請求項１乃至９の何れか１項に記載の装置において、前記本体がプラスチック材料から製造されることを特徴とする装置。
【請求項１１】
添付図面を参照して実質的に本明細書で説明されるとおりであることを特徴とする装置。
【発明の詳細な説明】
【技術分野】
【０００１】
本発明は洗浄装置に関する。詳細には、本発明は安全かみそり用の洗浄装置を対象とする。
【背景技術】
【０００２】
本明細書において、先行するもしくは既存の装置、製品、システム、方法、実践、刊行物もしくは他の情報、またはそれらに関連する何らかの課題もしくは問題を単に参照することは、それらのいずれかが個別にもしくは任意の組み合わせで本分野の当業者の共通の一般的知識の一部を形成しているまたは自認された先行技術である、ことを承認するものでも自認するものでもないことを明確に理解すべきである。
【０００３】
単一または複数（最大５つまたはそれを上回る数）の刃を有する平行刃の剃毛かみそりは、今日では一般的に男性にも女性にも使用されている。しかしながら、そのようなかみそりに関する１つの問題は、主に、（１）ジグザグ状の縁部を有する平行刃の間および周囲の小さな隙間に起因して、かつ、（２）平行刃が、剃毛ヘッド内に収納され、ヘッドから取り外し不能であるという理由から、かみそりを洗浄することが困難であるということである。かかる構成では、剃毛屑が簡単に詰まり、流水下で保持する従来の方法によってまたは使用者が水中でかみそりを振り動かすことによって、剃毛屑を除去することは困難であり得る。
【０００４】
従来技術では、安全かみそりを洗浄する際のこの難点を克服するために多くの試みがなされているが、結果として得られる装置は、構造が複雑であるかもしくは嵩張る、または、製造コストが許容できないほど高くなりしたがって購入するには許容できないほど高価である。
【０００５】
したがって、１つまたは複数の刃を有する安全かみそりを洗浄する装置であって、製造コストおよび購入費が低く、操作が簡単な装置が依然として求められている。
【発明の概要】
【０００６】
本発明の少なくとも１つの広義の形態によれば、少なくとも１つの刃がヘッド内に収納されるタイプの剃毛かみそりを洗浄する装置であって：
中空本体であって、給水栓に取り付けられるようになされた第１の端部と、中空室内で終端する第２の端部とを有し、前記本体および前記室は、水が前記第１の端部から前記本体を通って流れ前記室から流出することを可能にするようになされる、中空本体と；
前記室内に取り付けられたブラシまたはその類似物であって、前記水が前記本体を通って流れ前記室から流出する際に回転するようになされる、前記ブラシと；
前記少なくとも１つの刃を通過させることができ、かつ前記ブラシを回転させる際に前記ブラシと接触させて配置することができる前記室内のスロットとを含む装置が提供される。
【０００７】
本発明のいくつかの実施形態において、前記第１の端部は、前記水栓に対する迅速着脱カップリングを含んでもよい。
【０００８】
前記迅速着脱カップリングを含む本発明のこれらの実施形態において、前記カップリングは、弾性の押し嵌め接続部であってもよい。
【０００９】
本発明の他の実施形態において、前記第１の端部は、前記水栓に取り付けるために雌ねじおよび／または雄ねじが設けられてもよい。
【００１０】
本発明の更に他の実施形態において、前記本体（または前記本体の１つもしくは複数の部分）を、雌ねじおよび／または雄ねじ付きの前記第１の端部を有する弾性材料から製造してもよい。これらの実施形態において、単一の前記装置は、ねじ付きの前記水栓に取り付けられるか、または押し嵌めコネクタとしてねじ付きでない水栓に取り付けられるかのいずれかであってもよい。
【００１１】
前記ブラシは、実質的に細長い円筒形状であってもよい。
【００１２】
代替的に、前記ブラシは、１つまたは複数の行または列で配設された毛を有してもよい。毛の前記行または列は、直線状または湾曲状であってもよく、前記刃が前記回転ブラシと接触して配置されたときに、毛が前記刃のほぼ全体または全体にわたって前記刃と接触するように配設されてもよい。いくつかの実施形態において、ブラシは、各行が実質的にブラシの幅にわたって延在する複数行の毛を含んでもよい。
【００１３】
任意選択的に、前記装置のそれぞれの構成部品は、前記装置の使用後に前記ブラシから剃毛屑を取り除くための前記ブラシへのアクセスを容易にするように、着脱可能に接続される。
【００１４】
好ましくは、前記本体はプラスチック材料から製造される。
【００１５】
本発明の好ましい特徴、実施形態、および変形形態については、当業者が本発明を実施するために十分な情報を提供する以下の詳細な説明から明確に理解することができる。詳細な説明は、先の発明の概要の範囲を限定するものと見なされるべきでは決してない。詳細な説明では、以下の多くの図面を参照する。
【図面の簡単な説明】
【００１６】
【図１】図１は、本発明の実施形態に係る組み立てられた装置の斜視図である。
【図２】図２は、図１の装置の分解斜視図である。
【発明を実施するための形態】
【００１７】
図を参照すると、装置（１）は、当技術分野で周知の任意の好適なプラスチック材料から簡便に製造された中空の略Ｔ字形本体（２）を備える。本体（２）の略直交する中空脚部（３）は、中空コネクタ（５）のステム（４）が締り嵌めとして脚部内に保持されることを可能にする寸法である。ステム（４）を含むコネクタ（５）は、当技術分野で周知の任意の好適な弾性ゴムまたはプラスチック材料から簡便に製造される。コネクタ（５）の上端（６）における内径は、給水栓またはその類似物に対する着脱可能な押し嵌め接続部として十分な内径である。任意選択的に（図示せず）、コネクタ（５）の上端部（６）またはその近傍の内部領域および／または外部領域は、相補的なねじ付き給水栓またはその類似物とのねじ接続を可能にするように、ねじが設けられてもよい。本体（２）のヘッド部（７）は、その対向する端部（８，９）が、各々締り嵌めである対応するキャップ（１０、１１）により閉じられる。端部キャップ（１１）の内面（１２）は、短い中空延出部（１３）を含む。端部キャップ（１０）の内面は、同様の短い中空延出部（図示せず）を含む。本体（２）のヘッド部（７）は、実質的にその長手方向全長にわたって延びるスロット（１４）を有する。回転可能なブラシ（１５）は、短い差込部（１７、１８）でそれぞれの対向する長手方向端部が終端するスピンドル（１６）を含み、これらの差込部は、キャップ（１０、１１）のそれぞれの短い中空延在部に回転可能に嵌合する。ブラシ（１５）の構成部品は全て、当技術分野で周知のプラスチック材料の任意の好適な組み合わせから簡便に製造することができる。
【００１８】
使用時には、平行刃かみそり（図示せず）の刃を洗浄するために、コネクタ（５）の端部（６）が洗面台の蛇口などの給水栓に取り付けられる（図示せず）。端部（６）は、ねじ付きの水栓に螺合するか、または水栓に対する押し嵌め接続部であるかのいずれかである。その結果、蛇口を開くと、水が、コネクタ（５）および本体（２）を通って流れ、ブラシ（１５）を回転させ、スロット（１４）を通って流出する。かみそりの毛剃りヘッドは、ブラシ（１５）が回転する際に、ブラシの毛が刃に接触して、刃と隣接する周囲との間から剃毛屑を除去するように、スロット（１４）内に位置決めされる。使用後に、装置（１）を簡単に分解することができ、装置（１）の次回の使用に先立って、装置（１）の全ての構成部品の洗浄を容易にする。
【００１９】
したがって、本発明は、平行刃の安全かみそり用の、安価で操作および手入れが簡単な洗浄装置を提供することができる。
【００２０】
本明細書および特許請求の範囲において（用いられる場合）、「備える（ｃｏｍｐｒｉｓｉｎｇ）」という語、および「備える（ｃｏｍｐｒｉｓｅｓ）」または「備える（ｃｏｍｐｒｉｓｅ）」を含む派生語は、言及された整数の各々を含むが、１つまたは複数の更なる整数を含むことを除外するものではない。
【００２１】
本明細書全体を通して、「１つの実施形態」または「実施形態」という場合、実施形態に関連して説明する特定の特徴、構造、または特性が、本発明の少なくとも１つの実施形態に含まれることを意味する。したがって、本明細書全体を通して様々な箇所で「１つの実施形態において」または「実施形態において」という表現が見られるが、必ずしも全てが同一の実施形態について言及しているわけではない。更に、具体的な特徴、構造、または特性を、１つまたは複数の組み合わせにおいてあらゆる好適な態様で組み合わせてもよい。
【００２２】
法令に従って、本発明を、構造的特徴または方法的特徴に関して多かれ少なかれ具体的な言葉で説明してきた。ここで説明された手段は本発明を具体化する好ましい形態を含むので、本発明が図示または説明された特定の特徴に限定されるものではないことを理解すべきである。それゆえ、本発明は、当業者によって適切に解釈される添付の特許請求の範囲の適正な範囲内における任意の形態または変更形態（もしあれば）で請求される。
【図１】
2014533527.tif 000003
【図２】
2014533527.tif 000004
【国際調査報告】
2014533527.tif 000005
2014533527.tif 000006
2014533527.tif 000007
2014533527.tif 000008